(57)【要約】      （修正有）【課題】簡潔な構造で、略水平の使用位置から上方起立又は下方倒立のいずれもの格納位置まで回動でき、水平近傍での使用角度が微調整可能で、作動が静粛・円滑な使い勝手、安全性、耐久性とも優れたア−ムレスト装置を提供する。【解決手段】本体を所定角度にロックする鋸歯状のロック歯と、ロック歯が相互に噛合するように付勢する弾性部材と、前記支持軸と同心円状の所定の長さの円弧状となった複数の案内溝を有し、回転側部材または固定側部材のいずれか一方に設けられたガイドと、前記案内溝内を摺動する複数の摺動駒と、それぞれの摺動駒と係合するように回転側部材または固定側部材の他方に設けられた複数の係合突起とを有し、前記ガイドに高さが異なった複数の段差部が形成されており、前記係合突起が高さが異なった段差部に当接することにより、固定側部材を軸方向に往復移動させて前記ロック歯の噛合又はその解除が行われる。【選択図】図４
2007283908.tif 000002
【特許請求の範囲】
【請求項１】
支持体の支持軸を中心に回転可能に取り付けられ、アームレスト本体の回動を支持する回転側部材と、
この回転側部材に対向すると共に回転拘束された状態で軸方向への移動可能に支持軸に取り付けられた固定側部材と、
前記回転側部材及び固定側部材の対向部分の全周にわたって相互に噛合するように形成され、前記アームレスト本体を所定角度にロックする鋸歯状のロック歯と、
回転側部材及び固定側部材のロック歯が相互に噛合するように付勢する弾性部材と、
前記支持軸と同心円状の所定の長さの円弧状となった複数の案内溝を有し、回転側部材または固定側部材のいずれか一方に設けられたガイドと、
前記回転側部材の回転に伴って前記案内溝内を摺動する複数の摺動駒と、
それぞれの摺動駒と係合するように回転側部材または固定側部材の他方に設けられた複数の係合突起とを有し、
前記ガイドに高さが異なった複数の段差部が形成されており、前記係合突起が高さが異なった段差部に当接することにより、固定側部材を軸方向に往復移動させて前記ロック歯の噛合又はその解除が行われることを特徴とするアームレスト装置。
【請求項２】
前記摺動駒を案内溝の端面に押し付けるように付勢するサブ付勢部材をさらに備えていることを特徴とする請求項１記載のアームレスト装置。
【請求項３】
前記段差部は、低・中・高の３段階となっており、前記係合突起が係合することにより低い段差部はロック歯を噛合させ、中間段差部はロック歯の噛合を解除し、高い段差部は回転側部材の回転を停止することを特徴とする請求項１または２記載のアームレスト装置。
【請求項４】
前記摺動駒は、前記中間段部と略同じ高さとなっていることを特徴とする請求項１〜３のいずれか１項記載のアームレスト装置。
【請求項５】
前記摺動駒は、前記中間段部よりも低い高さとなっていることを特徴とする請求項１〜３のいずれか１項記載のアームレスト装置。
【請求項６】
前記案内溝は、前記支持軸と同心円となる１または複数の円周上に少なくとも２つが軸対称位置に設けられ、前記係合突起がそれぞれの案内溝に対向するように複数が配置されていることを特徴とする請求項１〜５のいずれか１項記載のアームレスト装置。
【請求項７】
前記係合突起は、前記回転側部材または固定側部材から前記案内溝に向けて斜めに切り起こされた斜め切り起こしであることを特徴とする請求項１〜６のいずれか１項記載のアームレスト装置。
【発明の詳細な説明】
【技術分野】
【０００１】
本発明は、自動車のシートやトイレの便器或いは家具用や事務用椅子等からなる支持体の横に装着され、支持体の上方に起立又は下方に倒立した収納位置から回動させることにより略水平方向に引出して用いるアームレスト装置に関し、特に、使用位置近傍での角度調整が可能なアームレスト装置に関する。
【背景技術】
【０００２】
アームレスト装置としては、使用者に合せて角度が微調整できたり、操作レバー等の操作をせずに収納位置からそのまま引下げて使用でき、収納するときも逆に回動させることによりそのまま収納できるものが使用勝手が良好なものが求められている。このようなア−ムレスト装置の従来例としては、特許文献１、２、３に記載されたものが知られている。
【０００３】
特許文献１記載のア−ムレスト装置は、周面の一部にラチェット歯を有するディスクがアームレスト本体に固定され、取付プレートがアームレスト本体の支持軸に固定されるとともに前記ディスクと取付プレートとの間に制御部材が回転自在に支持された構造となっている。制御部材は、一対のアーム及び操作部が形成されたプレート状であり、かつディスクの回転運動に随伴できるようにディスクの表面に圧接付勢されている。
【０００４】
さらに、ディスクと同じ平面内に位置する爪部及び制御部材の操作部と同じ平面内に位置する従動部を有するラチェット爪の爪部がラチェット歯に係合する方向に付勢された状態で取付プレートに回転自在に支持されている。また、前記制御部材の一対のアーム間に取付プレートのストッパを介在させて制御部材の回動角度を制限させ、これにより制御部材が一方の可動限にあるときに、制御部材への操作部によってラチェット爪の従動部が持ち上げられ、その回転に伴いラチェット爪の爪部がラチェット歯から退却するようになっている。
【０００５】
特許文献２記載のア−ムレスト装置は、対向面に菊花状に形成されており、逆回転方向には相互の回転が規制される複数の鋸歯を噛合させた固定菊座及び回転菊座をそれぞれ取付軸に固嵌及び遊嵌して設け、固定菊座、回転菊座の一方を軸方向に移動可能としてばねによって相手方に付勢するとともに、固定菊座が取付軸に遊嵌されている。
【０００６】
そして、回転菊座の正回転方向の回転によって所定角度遅れて追従回転する制御板を設け、制御板が追従回転することによって固定菊座との係合が外れて軸方向移動可能な固定菊座又は回転菊座をばね力に抗して離反方向に押して鋸歯の噛合を外して固定菊座上を移動させ、この状態で回転菊座を逆回転方向に回転させることにより、制御板が所定角度遅れて追従回転して固定菊座と係合し、固定菊座又は回転菊座がばねの力で戻されて鋸歯が噛合するようになっている。
【０００７】
特許文献３記載の第１の実施例では、アームレストなどのヒンジ素子の調整機構が記載されている。この調整機構は同文献の図２に示すように、ラチェット及びクラウン２相互に対向する面の周辺セクター上に歯が設けられ、ラチェットとして作用する円盤状部品が減少した面積（溝状）の制御区分を有し、ラチェットとクラウンとの間の軸に挿通されたセパレータが制御区分内に留まってラチェット及びクラウンの歯を分離状態に維持し、セパレータがクラウン上で外部に案内され、ばねにより連続的に押されるようになっている。
【０００８】
また、特許文献３記載の第２の実施例におけるヒンジ素子の調整機構は、同文献の図８に示すように、セパレータがクラウンに形成された窓内に留まる突起を備えたリング様式の部片から形成され、セパレータが手動作動のために楔の形状となった外部制御子と連係するようになっている。
【０００９】
さらに、特許文献３記載の第３の実施例におけるヒンジ素子の調整機構は、同文献の図９に示すように、ラチェットに形成された対応する溝穴内で移動する軸方向の突起をそれぞれ備えた、直径方向で対向する一対の側及び外部アームを有するリングにより形成されたセパレータにより補足される。一方、アームがクラウンに形成された相補的なハウジング内に位置していて、調整段階中のラチェットの回転がセパレータを不動に維持できて、ラチェットとクラウンとの間の異なる位置を確立する。ヒンジ素子の調整機構の折り畳み即ち調整の異なる位置は、セパレータの突起がラチェットの溝穴の端部の１つに対して制限されてセパレータの引きずりを生じさせ、それぞれの押圧及びクラウンに関するラチェットの対応する軸方向運動を生じさせる角度変位が発生するまでこの位置を維持する。これにより、両方の部品間の分離が上記機構のリセットを許容するようになっている。
【００１０】
また、クラウンのハウジングが段差部を備えた平坦区分で終端するその傾斜壁の１つを有し、平坦区分から、別の平坦区分が平坦区分よりも一層高いレベルで形成されている。従って、セパレータの回転が平坦区分に達するまで傾斜壁に沿ってセパレータを上昇させ、セパレータのこの軸方向の運動が当該クラウンに関するラチェットの軸方向運動を生じさせ、両方の部品の係合解除を行う。また、クラウンに対応するハウジングの傾斜壁の端部即ち出口が、上記機構のリセット中にセパレータを保持する小さな隆起部を有し、ラチェットとセパレータとの間の摩擦効果を阻止するよう構成されている。
【特許文献１】特許第２５８２２６４号公報
【特許文献２】特開２００５−１８６８５８号公報
【特許文献３】特表２００３−５２０１５６号公報
【発明の開示】
【発明が解決しようとする課題】
【００１１】
しかしながら、特許文献１記載の構造では、１個のラッチェット爪に荷重がかかるためラッチェット爪の負荷が大きく耐久性に劣る。負荷を軽滅するためにはラッチェット爪を大きくする必要があり、それにより調整角度も大きくなり使い勝手が悪くなる。又、制御部材を摩擦により随伴回動させているため磨耗し易く、それにより作動が安定しない等の問題点があった。
【００１２】
特許文献２記載の構造では、固定菊座及び回転菊座の菊花状に形成された複数の鋸歯を噛合させた構造により一点噛合による圧力増大を排して鋸歯のピッチの細小化を可能にしているものの、制御板を所定角度遅れて追従回転させるため回転菊座の鋸歯の円周の一部が約４０％に亘って欠歯しており、その分歯に掛かる負荷が大きくなり耐久性に劣るという問題点があった。
【００１３】
特許文献３における第１の実施例の構造では、セパレータがラチェットとクラウンとの間に入り込むための減少した面積の制御区分が必要であり、そのためラチェット及びクラウンの歯が欠歯した部分が生じ、その分歯に掛かる負荷が大きくなり耐久性に劣るという問題点があった。
【００１４】
特許文献３における第２の実施例の構造では、セパレータを楔（外部制御子）により手動操作する必要があるため操作性に劣るという問題点があった。
【００１５】
特許文献３における第３の実施例の構造では、セパレータの突起とその突起より長くラチェットに形成した溝穴とにより角度遅れ及び引きずり作動を行う構造であることから、ヒンジ素子例えばアームレストの略水平の使用位置から水平近傍での角度調整可能範囲（ロック範囲）の後に、引き続き同じ回転方向での略垂直方向のバックレストに沿った格納位置までのロック不可範囲が存在しないと繰り返し作動しない。従って、略垂直方向上向きの格納位置から略水平の使用位置まで回動するアームレストには適用できる。
【００１６】
しかしながら、略垂直方向下向きの格納位置から略水平の使用位置まで回動するアームレストに適用する場合は、略水平の使用位置から下向きの格納位置まで引下げるときの途中角度（水平近傍での角度調整可能範囲の下限）でセパレータのアームがハウジングの端壁に当接してセパレータが回転してロック可能状態になるため、それ以上の回動が不可能となる不便さがある。この場合、アームレストをさらに下向きの格納位置まで回動できるように溝穴の長さを拡張することも考えられるが、この場合には、アームレストを下向きの格納位置から略水平の使用位置まで引上げるとき、ラチェットとクラウンとの歯部の相互乗り越え（ラチェット作動）の噛合い音（カチカチ音）が全域にわたって発生するため、車内や室内の静粛性が損なわれて問題となる。すなわち、このような特許文献３の構造では、水平近傍で角度調整し、垂直下に収納するものには適用できないという問題点があった。
【００１７】
さらに、特許文献３における第３の実施例では、十字形ディスクの取付け穴や複数の溝穴等を有するラチェット、隆起部や段差部や傾斜壁等を有する一対のハウジング等を備えたクラウン、及びアームや突起を有するリング状のセパレータなどのように全体が複雑で重厚な形態となっており、重量アップやコスト高となる問題点があった。
【００１８】
本発明は、このような問題点を解決するためになされたものであり、簡潔な構造で、通常の略水平の使用位置から上向き起立又は下向き倒立のいずれもの方向への格納位置まで回動できると共に、水平近傍での使用角度の微調整が可能などの使い勝手がよく、作動が静粛且つ円滑で、安全性及び耐久性を有したア−ムレスト装置を提供することを目的とする。
【課題を解決するための手段】
【００１９】
上記目的を達成するため、請求項１記載の発明のア−ムレスト装置は、支持体の支持軸を中心に回転可能に取り付けられ、アームレスト本体の回動を支持する回転側部材と、この回転側部材に対向すると共に回転拘束された状態で軸方向への移動可能に支持軸に取り付けられた固定側部材と、前記回転側部材及び固定側部材の対向部分の全周にわたって相互に噛合するように形成され、前記アームレスト本体を所定角度にロックする鋸歯状のロック歯と、回転側部材及び固定側部材のロック歯が相互に噛合するように付勢する弾性部材と、前記支持軸と同心円状の所定の長さの円弧状となった複数の案内溝を有し、回転側部材または固定側部材のいずれか一方に設けられたガイドと、前記回転側部材の回転に伴って前記案内溝内を摺動する複数の摺動駒と、それぞれの摺動駒と係合するように回転側部材または固定側部材の他方に設けられた複数の係合突起とを有し、前記ガイドに高さが異なった複数の段差部が形成されており、前記係合突起が高さが異なった段差部に当接することにより、固定側部材を軸方向に往復移動させて前記ロック歯の噛合又はその解除が行われることを特徴とする。
【００２０】
請求項２記載の発明は、請求項１記載のアームレスト装置であって、前記摺動駒を案内溝の端面に押し付けるように付勢するサブ付勢部材をさらに備えていることを特徴とする。
【００２１】
請求項３記載の発明は、請求項１または２記載のアームレスト装置であって、前記段差部は、低・中・高の３段階となっており、前記係合突起が係合することにより低い段差部はロック歯を噛合させ、中間段差部はロック歯の噛合を解除し、高い段差部は回転側部材の回転を停止することを特徴とする。
【００２２】
請求項４記載の発明は、請求項１〜３のいずれか１項記載のアームレスト装置であって、前記摺動駒は、前記中間段部と略同じ高さとなっていることを特徴とする。
【００２３】
請求項５記載の発明は、請求項１〜３のいずれか１項記載のアームレスト装置であって、前記摺動駒は、前記中間段部よりも低い高さとなっていることを特徴とする。
【００２４】
請求項６記載の発明は、請求項１〜５のいずれか１項記載のアームレスト装置であって、前記案内溝は、前記支持軸と同心円となる１または複数の円周上に少なくとも２つが軸対称位置に設けられ、前記係合突起がそれぞれの案内溝に対向するように複数が配置されていることを特徴とする。
【００２５】
請求項７記載の発明は、請求項１〜６のいずれか１項記載のアームレスト装置であって、前記係合突起は、前記回転側部材または固定側部材から前記案内溝に向けて斜めに切り起こされた斜め切り起こしであることを特徴とする。
【発明の効果】
【００２６】
請求項１記載の発明によれば、アームレスト本体を略水平の使用位置から収納位置方向への所定角度範囲の回転では、ロック歯の鋸歯毎にロックされて角度調整が行われる。また、所定角度範囲を超えた引き続く収納位置方向への回転又は途中で反対に使用位置方向への逆回転ではロック歯のロックが解除される。また、逆に収納位置から使用位置方向までの回転でもロック解除された状態でフリーに回転することができる。これらにより使い勝手が良好となる。このような請求項１記載の発明では、水平使用位置近傍を角度調整可能とし、それより上方向をロック解除範囲として上方に起立した位置を収納位置とする車両用シートや事務用椅子などのアームレスト装置として適用することができるばかりでなく、水平使用位置近傍を角度調整可能とし、それより下方向をロック解除範囲として下方に倒立した位置を収納位置とする便器や遊技場用椅子などのアームレスト装置としても適用することができるため、適用範囲が格段に拡大する。
【００２７】
また、回転側部材及び固定側部材の全周にロック歯を設け、このロック歯によりアームレスト本体に掛かる荷重を受けるため、大きな荷重を受けることができ、安全性及び耐久性とも向上させることができる。このため、ロック歯を細かくして歯数を増やすことにより、安全性及び耐久性とも確保した上で、アームレスト本体の使用位置近傍において一層細かい角度調整が可能となる。
【００２８】
さらに、複数の係合突起により２点以上で支えて固定側部材を軸方向に移動させるため、固定側部材の傾倒による支持軸とのコジリなどが発生せず、作動が円滑であるのに加えて、固定側部材を摩擦に頼って移動させないことから安定した作動を確保するとともに耐久性に優れるという効果がある。
【００２９】
請求項２の発明によれば、請求項１の発明と同様な効果を有するのに加えて、サブ付勢部材が摺動駒を案内溝の端面に押し付けるため、摺動駒を移動させるために係合突起が摺動駒と係合する凸部を摺動駒に設ける必要がなく、アームレスト本体の動きが滑らかになり、使い勝手を一層向上させることができる。
【００３０】
請求項３の発明によれば、請求項１及び２の発明と同様な効果を有するのに加えて、係合突起が低い段差部に係合しているときは回転側部材及び固定側部材のロック歯が噛合してアームレスト本体の使用位置近傍での角度調整が可能となる。また、係合突起が中間段差部に係合しているときは固定側部材を回転側部材から離反させてロック歯の噛合を解除し、係合突起が高い段差部に係合するとアームレスト本体の回転が規制される等の機械的な制御動作により、アームレスト本体の水平使用位置近傍での角度調整及びそれ以外の角度範囲でのフリーな回転を確実に行うことができ、使用上の信頼性を確保することができる。
【００３１】
請求項４の発明によれば、請求項１〜３の発明と同様な効果を有するのに加えて、摺動駒が中間段差部と略同じ高さとなっているため、係合突起が中間段差部上と摺動駒の両方に移り易くなる。このため、固定側部材を回転側部材から離反させてロック歯の噛合を解除し、上述した水平使用位置近傍の角度調整範囲以外でのフリーな回転を確実に行う信頼性を確保することができる。
【００３２】
請求項５の発明によれば、請求項１〜３の発明と同様な効果を有するのに加えて、摺動駒が中間段差部より低い高さとなっているため、係合突起が摺動駒を乗り越え中間段差部上に係合すると同時に、摺動駒は係合突起から離れてフリー状態となる、これにより、摺動駒が付勢部材の付勢力により案内溝の端面に当接するまで押し戻され、アームレスト本体の使用位置へのリセットを確実に行うことができる。
【００３３】
請求項６の発明によれば、請求項１〜５の発明と同様な効果を有するのに加えて、１又は複数の同心円周上で複数の摺動駒及びこれらに係合する係合突起により複数箇所で支えて固定側部材を軸方向に移動させるため、固定側部材の傾倒による支持軸とのコジリなどが発生することがなく、一層円滑な作動を確保でき、安定した作動を行うことができる。
【００３４】
請求項７の発明によれば、請求項１〜６のいずれか１項の発明と同様な効果を有するのに加えて、係合突起が斜めに切起された斜め切起しであるため、構造及び加工が簡易であり、しかも弾性力に富み、案内溝の各段差部と摺動駒への係合及び摺動が衝撃を発生することなく滑らかに行われる。このためア−ムレストの一層円滑で、安定した作動を確保することができる。
【発明を実施するための最良の形態】
【００３５】
以下、本発明を図示する実施形態により具体的に説明する。なお、各実施形態において、同一の部材には同一の符号を付して対応させてある。
【００３６】
（第１実施形態）  
図１〜図１５は、アームレスト装置を自動車用シートに適用した本発明の第１実施形態を示し、図１はアームレスト装置１が取り付けられた自動車用シートの側面図、図２はアームレスト装置１の一部破断正面図、図３は図２の一部破断側面図、図４は図２のＡ−Ａ線断面図、図５〜図８はそれぞれ図４のＢ−Ｂ線、Ｃ−Ｃ線、Ｄ−Ｄ線、Ｅ−Ｅ線断面図、図９は図７のＦ−Ｆ線断面、図１０は図９のＧ矢視断面図、図１１〜図１５は作動を示す展開断面図である。
【００３７】
この実施形態において、ア−ムレスト装置（以下、「アームレスト」とも略称する）１は、図１に示すように、シートバック２の側面に回動可能に装着されている。このアームレスト装置１は略水平位置に引下げて使用され、使用しない時はシートバック２の背面に沿った位置（図１の二点鎖線で示す位置）に起立状となって収納される。アームレスト装置１は図２に示すように、人が肘を載せて使用するアームレスト本体３と、アームレスト本体３を回転ロックするロック機構４とから大略構成されている。
【００３８】
アームレスト本体３は、図３に示すように、プレス成形等によって断面コ字形に成形された薄鋼板製のインサイドアーム３ａ及びアウトサイドアーム３ｂを備え、これらが突き合わせられて加締めやねじ止めされることにより内部が空洞となった閉断面構造となっている。
【００３９】
ロック機構４は、図３、図４及び図７に示すように、支持軸５、回転側部材６、固定側部材７、弾性部材８、ガイド９、摺動駒１０、固定プレート１２、ワッシャー１３及びナット１４から構成されている。
【００４０】
支持軸５は、シートバック２側からねじ部５ａ、外周に歯形が加工された星型断面のスプライン部５ｂ、円柱部５ｃ、鍔部５ｄ、六角柱部５ｅ、先端部５ｆが順次形成され、ねじ部５ａを介してナット１４によりシートバック２の側板２ａに固定される。
【００４１】
固定プレート１２は、例えば鋼板のプレス成形品で図４及び図５に示すように、支持軸５のスプライン部５ｂに圧入されることによりスプライン結合され、さらに固定プレート１２の脚部１２ａがシートバック２の側板２ａの穴２ｂに挿入される。これにより支持軸５は、シートバック２に対して回転が拘束されて固定される。
【００４２】
支持軸５の円柱部５ｃは回転側部材６及びインサイドアーム３ａに挿入され、この挿入によって回転側部材６及びアーム３が回転可能に支持軸５に支持される。回転側部材６及びインサイドアーム３ａは、支持軸５の鍔部５ｄと固定プレート１２に挟まれており、これにより横方向のガタが発生しないように組立てられている。回転側部材６は、外形が円形となっており、図４及び図６に示すように円板部に設けられた複数（図示では２つ）の穴６ｃにインサイドアーム３ａの凸部３ｃが挿入されて係合することによりインサイドアーム３ａと一体化されている。これにより回転側部材６はアームレスト本体３と一体的に回転する。
【００４３】
固定側部材７は、回転側部材６と対向するように配置されるものであり、回転側部材６と同径の円状外形となっており、その中心に支持軸５の六角柱部５ｅより僅かに大きい六角穴７ｂが穿設されている。そして、図４及び図８に示すように、支持軸５の六角柱部５ｅが固定側部材７の六角穴７ｂに挿入されることにより、固定側部材７は回転が拘束されるとともに軸方向への移動が可能となった状態で支持軸５に取り付けられている。
【００４４】
回転側部材６及び固定側部材７は、例えば薄鋼板のプレス成形品であり、対向部分の全周にわたって相互に噛合するロック歯６ｇ、７ｇが形成されている。ロック歯６ｇ、７ｇは鋸歯状に形成されており、図２において、アームレスト本体３が反時計回り方向に回転する時はロック歯６ｇ、７ｇの垂直面６ｈ、７ｈが噛合い、アームレスト本体３が時計回り方向に回転する時はロック歯６ｇ、７ｇの斜面６ｉ、７ｉにより滑動して固定側部材７が離反する方向（軸方向）に移動する。すなわち、鋸歯状のロック歯６ｇ、７ｇは、固定側部材７に対して回転側部材６のラチェット回転を可能にするように形成されている。回転側部材６の円板部には、図６及び図９に示すように、支持軸５と同心の一つの第１円周Ｃ１上に軸対称に配置された２個の斜め切起し６ａが固定側部材７側に向けて形成されている。
【００４５】
弾性部材８はコイル状の圧縮ばねからなり、固定側部材７と支持軸５の先端部５ｆに加締めによって固定されたワッシャー１３との間に配置され、固定側部材７を常に回転側部材６に押し付ける方向に付勢している。この弾性部材の付勢により、ロック歯６ｇ、７ｇが相互に噛合するようになっている。
【００４６】
ガイド９は、図９に示すように、固定側部材７の円板部における回転側部材６側の対向面に開設された複数の穴７ａと、ガイド９に設けられた凸部９ａとによりスナップフィットで固定されており、これによりガイド９と固定側部材７とが一体化されている。
【００４７】
ガイド９には、図７に示すように、前記第１円周Ｃ１上に相応して摺動駒１０をガイドする案内溝９ｂが軸対称に２本形成されている。案内溝９ｂは、斜め切起し６ａに対応した位置すなわち第１円周Ｃ１上にあって、図１０に示すように、摺動駒１０が外れないように遊嵌する断面逆Ｔ字形状にそれぞれ形成されている。また、２本の案内溝９ｂは、摺動駒１０が第１円周Ｃ１方向に所定角度例えばアームレスト１の回転角度４５°に相当する角度だけ移動することが可能な範囲に形成されている。この場合、斜め切起し６ａは、後述するように案内溝９ｂを有するガイド９又は摺動駒１０と摺動又は係合関係となっており、これによりこれらに係合する係合突起となっている。このため、斜め切起し６ａの同心円径方向（第１円周Ｃ１方向）の幅は、いずれも円弧状の案内溝９ｂあるいは摺動駒１０の径方向のいずれの幅よりも大きく設定されている。
【００４８】
図９〜図１５に示すように、ガイド９には第１円周Ｃ１上に沿って円弧状の３個の段差部が形成されている。段差部は最低段差部９ｄ、中間段差部９ｅ、最高段差部９ｆの３段階の高さを有する段状に形成されている。
【００４９】
ガイド９における中間段差部９ｅの高さは、その上に回転側部材６の斜め切起し６ａが乗上げたとき、固定側部材７を支持軸５の六角柱部５ｅに沿って軸方向に移動させ、回転側部材６及び固定側部材７のロック歯６ｇ、７ｇの噛合を解除するのに十分な高さに設定されている。最低段差部９ｄの高さは、回転側部材６及び固定側部材７のロック歯６ｇ、７ｇが噛合しているとき、斜め切起し６ａに干渉しない高さに設定されている。最高段差部９ｆは、回転側部材６の斜め切起し６ａが当接して回転側部材の移動（回転）を止めるストッパーとなる高さに設定されている。
【００５０】
摺動駒１０は、上述した円弧状の案内溝９ｂの中を摺動可能であり、その端部（例えば図７における時計回り方向の先端部）には、図７及び図９に示すように、凸部１０ａが斜め切起し６ａ側との対向面である上面１０ｅに形成されている。凸部１０ａは、斜め切起し６ａが乗り上がり易いように前後が傾斜するとともに頂上が滑に例えば円弧状に形成されている。この実施形態においては、摺動駒１０の上面１０ｅは、ガイド９の中間段差部９ｅと同じ高さに形成することが望ましい。この理由は、後述するように、回転側部材６の斜め切起し６ａがガイド９の中間段差部９ｅと摺動駒１０の上面１０ｅとの双方に乗り移り易くするためである。
【００５１】
次に、この実施形態の作動を展開断面図である図１１〜図１５を参照して説明する。これらの図において、（ａ）は図９に対応した作動説明図、（ｂ）は図１に対応する作動の模式図である。
【００５２】
回転側部材６及び固定側部材７のロック歯６ｇ、７ｇは、図３及び上述したように鋸歯状となっており、このためロック歯６ｇ、７ｇの斜面６ｉ、７ｉに力が加わる方向（図１における時計回り方向）の回転では、斜面６ｉ、７ｉが相対的に滑動し弾性部材８に抗してロック歯６ｇ、７ｇが離反する方向に固定側部材７を支持軸５の六角柱部５ｅに沿って移動させ１歯ずつアームレスト本体３を動かすことが可能ないわゆるラチェット回転する。一方、逆方向（図１における反時計回り方向）の力に対しては、ロック歯６ｇ、７ｇの垂直面６ｈ、７ｈで噛合い、回転側部材６が固定されているアームレスト本体３の回転を支持軸５に固定されている固定側部材７によりロックする。
【００５３】
従って、アームレスト本体３は略水平位置から起立する方向の所定範囲、例えば４５°の範囲では一つのロック歯６ｇ、７ｇ毎の回転角度調整が可能であり、アームレスト本体３を起立する方向に所定角度範囲を過ぎて回転するとロックが解除され、その位置から収納位置までロック歯６ｇ、７ｇが接触することなく分離した状態でフリーに回転することができる。さらに、アームレスト本体３をロックが解除された位置から収納位置までの間で逆に再度略水平位置までロック歯６ｇ、７ｇが分離した状態でフリーに戻すこともできるようになっている。この作動について以下に説明する。
【００５４】
図１１は、アームレスト本体３を略水平位置まで引下げた状態を示す。この状態では、回転側部材６、７のロック歯６ｇ、７ｇは相互に噛合した状態（図３）で、回転側部材６の斜め切起し６ａはガイド９の最低段差部９ｄより僅かに浮き上がった位置にある。
【００５５】
図１２は、図１１の使用状態からアームレスト本体３を時計回り方向に引上げ（起立し）始めた状態を示す。アームレスト本体３を時計回り方向に回転すると、図１２（ａ）に示すように、固定側部材７はそのロック歯７ｇが回転側部材６のロック歯６ｇを乗り越え、これにより弾性部材８の付勢力に抗して離反方向に押されて同図（ａ）で示す上方に（支持軸５の六角柱部５ｅに沿って）移動しながら回転側部材６はＬ方向に回転する。このとき、斜め切起し６ａは摺動駒１０の凸部１０ａを乗り越える量までは動かずに、摺動駒１０を随伴して図示右方向に移動する（すなわち、図１２（ｂ）における時計回り方向に回転する）。
【００５６】
この段階では、アームレスト本体３を手放して停止させるか又は反時計回り方向に逆回転させると、固定側部材７は弾性部材８の付勢力により回転側部材６側に押し戻されて再び回転側部材６及び固定側部材７のロック歯６ｇ、７ｇが相互に噛合い反時計回り方向回転がロックされた状態となる。
【００５７】
図１３は、図１２の状態からアームレスト本体３を時計回り方向に所定角度、例えば４５°近辺まで引上げた（起立した）状態を示す。摺動駒１０の右端面１０ｂがガイド９の端面９ｇに突き当たる所定角度例えばアームレスト本体３の４５°位置までアームレスト本体３に固定された回転側部材６は図１１、１２における動きを繰り返しながら回転する。このとき、摺動駒１０は斜め切起し６ａから離れて案内溝９ｂの中で自由状態となるため、先に摺動駒１０の右端面１０ｂとガイド９の端面９ｇに突き当たる位置まで移動していても摺動駒１０の位置に関係なく、回転側部材６は所定角度例えばアームレスト本体３の４５°の位置まで上述した図１２におけると同様な回転をすることができる。
【００５８】
すなわち、図１１の略水平の使用状態から図１３の所定角度（例えば４５°）までの回転範囲においては、アームレスト本体３の時計回り方向には回転側部材６及び固定側部材７のロック歯６ｇ、７ｇが相互に乗り越えて回転し、反時計回り方向にはロック歯６ｇ、７ｇが相互に噛合いロックされた状態となる。この範囲では、いわゆるラチェット回転によるアームレスト本体３のロック歯６ｇ、７ｇ毎の角度調整が可能な角度調整可能範囲となる。
【００５９】
図１４は、図１３の引上げ状態からアームレスト本体３を時計回り方向に所定角度例えば４５°以上引上げた（起立した）ロック解除状態を示す。アームレスト本体３を所定角度例えば４５°位置よりさらに時計回り方向に回転すると、摺動駒１０がガイド９の端面９ｇに突き当たった状態で動かないため、斜め切起し６ａは摺動駒１０の凸部１０ａを乗り越えて動く。この位置では斜め切起し６ａはガイド９の中間段差部９ｅと同じ高さの摺動駒１０の上面１０ｅ上に乗り上げるため、回転側部材６と固定側部材７のロック歯６ｇ、７ｇは完全に離反し、アームレスト本体３はロック解除され回転フリーな状態となる。この位置からは、アームレスト本体３をロック解除状態のまま収納位置まで回転する（起立させる）ことも、逆回転して略水平位置まで戻す（引下げる）こともできる。
【００６０】
図１５は、図１４のロック解除状態からアームレスト本体３を再び反時計回り方向に引下げ始めた状態を示す。図１４の位置からアームレスト本体３を略水平位置に引下げようとすると、回転側部材６は図１５（ａ）におけるＭ方向すなわち図１５（ｂ）の反時計回り方向に回転する。Ｍ方向の動きでは、斜め切起し６ａの先端が摺動駒１０の凸部１０ａに突き当たって係合するため、摺動駒１０を引き摺り随伴して移動する。アームレスト本体３が略水平位置までくると摺動駒１０の左側の端面１０ｃがガイド９の端面９ｈに突き当たる。
【００６１】
アームレスト本体３を更に図１５のＭ方向に回転すると、斜め切起し６ａは摺動駒１０の凸部１０ａを乗り越えて図１１の状態になる。この状態になると、固定側部材７は弾性部材８の付勢力により回転側部材６側に押し戻されて再び回転側部材６及び固定側部材７のロック歯６ｇ、７ｇは互いに噛合うことができ、アームレスト本体３の反時計回り方向がロックされる。
【００６２】
図１１及び図１５に示すように、摺動駒１０の高さとガイド９の中間段差部９ｅの高さは略同程度となっている。このため、斜め切起し６ａが摺動駒１０の上面１０ｅ及びガイド９の中間段差部９ｅ上のいずれにも確実に乗って連続的に摺動するので、図１４の位置からアームレスト本体３をロック解除状態のまま収納位置まで回転させる（起立させる）ことも、反対に略水平位置まで戻す（引下げる）ことも、あるいは、アームレスト本体３を収納位置から略水平位置までロック解除状態のまま戻す（引下げる）こともできる。これにより、アームレスト本体３のフリーな回転動作の信頼性が確保される。
【００６３】
なお、アームレスト本体３を図１１（ａ）における左方向（図１１（ｂ）の反時計回り方向）又は図１４（ａ）における右方向（図１４（ｂ）の時計回り方向）に回転すると、回転側部材６の斜め切起し６ａがガイド９のストッパーとなる最高段差部９ｆに突き当たって回転停止する。
【００６４】
（第２実施形態）
図１６〜図１９は、本発明の第２実施形態におけるアームレスト装置を示し、図１６はアームレスト装置のロック機構の断面図であり、図４のＣ−Ｃ線断面図に相当する。図１７は図４のＤ−Ｄ線断面図に相当する。図１８は図１７のＨ矢視断面図、図１９は図１７のＩ矢視断面図である。
【００６５】
この実施形態においては、図１６に示すように、回転側部材６の円板部には、異なる径の２つの同心円の第１、第２円周Ｃ１、Ｃ２上にそれぞれ９０°ずれて軸対称に配置された２個の斜め切起し６ａ、６ｂがいずれも固定側部材７側に向けて形成されている。
【００６６】
ガイド９には、図１７に示すように、２つの同心円の第１円周Ｃ１、第２円周Ｃ２上に相応して摺動駒１０をガイドする案内溝９ｂと摺動駒１１をガイドする案内溝９ｃとがそれぞれ９０°ずれて軸対称に２本ずつ形成されている。このように、この実施形態では、第１実施形態の第１円周Ｃ１上の回転側部材６の斜め切起し６ａ及びガイド９の案内溝９ｂに加えて、その内側の同心円の第２円周Ｃ２上に回転側部材６の斜め切起し６ｂ及びガイド９の案内溝９ｃがそれぞれ９０°ずれて軸対称に追加形成されている。この斜め切起し６ｂ及び案内溝９ｃは斜め切起し６ａ及び案内溝９ｂと全く同様の相対的な作動を行う。
【００６７】
案内溝９ｂ、９ｃは、斜め切起し６ａ、６ｂにそれぞれ対応した位置すなわち第１、第２円周Ｃ１、Ｃ２上にあって、図１８及び図１９に示すように、摺動駒１０、１１が外れないように遊嵌する断面逆Ｔ字形状にそれぞれ形成されている。また、案内溝９ｂ、９ｃは、図１７に示すように摺動駒１０、１１がそれぞれ第１、第２円周Ｃ１、Ｃ２方向の所定角度例えばアームレスト本体３の回転角度４５°に相当する角度だけ移動できる範囲に形成されている。斜め切起し６ｂも、案内溝９ｃを有するガイド９又は摺動駒１１と摺動又は係合する係合突起となる。このため、斜め切起し６ｂの径方向の幅も、第１実施形態と同様に、案内溝９ｃあるいは摺動駒１１の径方向の幅よりも大きく設定されている。
【００６８】
ガイド９は図１７〜図１９に示すように、第１、第２円周Ｃ１、Ｃ２上に沿って同心円弧状に最低段差部９ｄ、中間段差部９ｅ、最高段差部９ｆの３段階の高さを有する段状にそれぞれ形成されている。これは第１実施形態と同様である。すなわち、中間段差部９ｅの高さは、その上に回転側部材６の斜め切起し６ａ、６ｂが乗上げたとき、固定側部材７を支持軸５の六角柱部５ｅに沿って移動させ、回転側部材６及び固定側部材７のロック歯６ｇ、７ｇの噛合いを解除するのに十分な高さに設定されている。最低段差部９ｄの高さは、回転側部材６及び固定側部材７のロック歯６ｇ、７ｇが噛合っているとき、斜め切起し６ａ、６ｂに干渉しない高さに設定されている。最高段差部９ｆは、回転側部材６の斜め切起し６ａ、６ｂが当接して回転側部材の移動（回転）を止めるストッパーとなる高さに設定されている。
【００６９】
摺動駒１０、１１は、それぞれ案内溝９ｂ、９ｃの中を摺動可能であり、それぞれの端部（例えば図１７における時計回り方向の先端部）には、図１７あるいは図９に示すように、凸部１０ａ、１１ａが回転側部材６の斜め切起し６ａ、６ｂ側の上面１０ｅ、１１ｅ（１１ｅは図示しない）上にそれぞれ形成されている。凸部１０ａ、１１ａは斜め切起し６ａ、６ｂが乗り上がり易いように前後が傾斜するとともに頂上が滑に例えば円弧状にそれぞれ形成されている。この実施形態においても、摺動駒１０、１１の反摺動面１０ｅ、１１ｅは、ガイド９の中間段差部９ｅと同じ高さに形成することが望ましい。斜め切起し６ｂ及び摺動駒１１は斜め切起し６ａ及び摺動駒１０と全く同様の作動を行う。
【００７０】
アームレスト本体３が９０°を超える範囲の大きな回転をする場合は、上記した構造にすることにより固定側部材７を回転側部材６の斜め切起し６ａあるいは６ｂを介して軸対照的に複数ヶ所（少なくとも２ヶ所以上）で支えて支持軸５の六角柱部５ｅに沿って動かすことができるため、固定側部材７の傾倒による六角柱部５ｅとのコジリなどが発生せず、円滑で安定した作動を確保することができる。一方、アームレスト本体３の回転範囲が９０°以下の場合は、摺動駒１０あるいは摺動駒１１が円周Ｃ１あるいはＣ２方向４５°より小さい角度に動ける範囲に形成することにより摺動駒１０あるいは摺動駒１１を同一円周Ｃ１あるいはＣ２上でそれぞれ３ヶ所とすることもできる。これによって、円滑で安定した作動の信頼性を一層向上させることができる。また、第１実施形態においては、弾性部材８をコイルばねとしているが、板ばねや皿ばねなどのその他の圧縮ばねあるいはゴムなどの弾性作用を有する弾性部材を用いることができる。
【００７１】
（第３実施形態）
図２０〜図２５は本発明の第３実施形態を示す。この実施形態では、アームレスト装置１を便器２０に適用するものであり、図２０は第３実施形態の側面図を示す。この実施形態では、アームレスト本体４が下方向に倒立した鎖線で示す収納位置から引上げられた略水平の位置で使用するようになっている。
【００７２】
第１実施形態及び第２実施形態の構造をそのまま、便器２０へ取付けると、略水平位置から下方向に所定角度、例えば４５°位置までがロックしない範囲となり、使用することができないことになる。また、第１及び第２実施形態のままロックしない範囲を略水平位置より上にもって行き、略水平位置から収納位置までの全域をロック範囲とすることも可能であるが、そうすると収納位置から略水平位置まで引上げるとき全域に亘り回転側部材６及び固定側部材７のロック歯６ｇ、７ｇの噛合い音がして室内の静粛性を損なう。
【００７３】
以上のことから、この実施形態では、アームレスト本体３の下方収納位置から所定角度、例えば４５°位置までの引上げ時においては回転側部材６及び固定側部材７のロック歯６ｇ、７ｇが噛合わないようにすると共に、所定角度例えば４５°から略水平使用位置までの回転範囲を前記実施例と同様なラチェット回転による角度調整可能範囲としている。
【００７４】
この実施形態におけるアームレスト本体３及びロック機構４（支持軸５、回転側部材６、固定側部材７、圧縮ばね８、ガイド９、摺動駒１０、ｌｌ、固定プレート１２、ワッシャー１３及びナット１４）は、構造的には上記第１及び第２実施形態と同様である。なお、この実施形態においては、第１及び第２実施形態に対して部分的に形状（特に周方向長さなどの寸法）が異なっていても同一の機能を有する部材には同一の符号を付して対応させてある。
【００７５】
図２１〜図２５は、この実施形態の作動を示し、各図において、（ａ）は図９に対応した作動説明の展開図、（ｂ）は（ａ）に作動を示す図２０に対応する模式図である。
【００７６】
図２１は、図２０の収納位置からアームレスト本体３を時計回り方向に４５°過ぎまで引上げた状態を示す。この状態では、回転側部材６及び固定側部材７のロック歯６ｇ、７ｇは共に噛合した状態で、回転側部材６の斜め切起し６ａはガイド９の最低段差部９ｄより僅かに浮き上がった位置にある。
【００７７】
図２２は図２１の状態からさらにアームレスト本体３を時計回り方向に４５°以上引上げた状態を示す。アームレスト本体３を時計回り方向に回転すると、図２２（ａ）に示すように、固定側部材７はロック歯７ｇが回転側部材６のロック歯６ｇを乗り越えることにより図示上方に（図４及び図８における支持軸５の六角柱部５ｅに沿って）動きながら、回転側部材６はＬ方向に回転するが、この際に斜め切起し６ａは摺動駒１０の凸部１０ａを乗り越える量までは動かずに、摺動駒１０と共に随伴して図示右方向（図２０における時計回り方向）に回転する。
【００７８】
この段階では、アームレスト本体３を手放して停止させるか又は反時計回り方向に逆回転させると、固定側部材７は弾性部材８の付勢力により回転側部材６側に押し戻されて再び回転側部材６及び固定側部材７のロック歯６ｇ、７ｇが相互に噛合い反時計回り方向回転がロックされた状態となる。
【００７９】
摺動駒１０の右端面１０ｂがガイド９の端面９ｇに突き当たる略水平位置までは図２１及び図２２における動きを繰り返しながら回転する。摺動駒１０は案内溝９ｂの中で自由状態であるため、斜め切起し６ａから離れて、先に揺動駒１０の右端面１０ｂがガイド９の端面９ｇに突き当たる位置まで移動していても摺動駒１０の位置に関係なく回転側部材６は４５°の位置まで図２２におけると同様な動きをすることができる。
【００８０】
図２３は、略水平の使用状態から再び反時計回り方向に引下げ始めるのに先立ち、アームレスト本体３を一旦上方に微小角度引上げてロック解除した状態を示す。アームレスト本体３を略水平の使用状態から微小角度上方に引上げると、摺動駒１０がガイド９の端面９ｇに突き当たった状態で動かないため、斜め切起し６ａは摺動駒１０の凸部１０ａを乗り越えて動く。この位置では斜め切起し６ａはガイド９の中間段差部９ｅと同じ高さの摺動駒１０の上面１０ｅに乗り上げるため、回転側部材６と固定側部材７のロック歯６ｇ、７ｇは完全に離反し、アームレスト本体３はロック解除された状態となる。
【００８１】
図２４は図２３のロック解除状態からアームレストを反時計回り方向に４５°の角度まで引下げた状態を示す。一旦、図２３のロック解除状態になり、アームレスト本体３を反時計回り方向に回転して引下げると、図２４（ａ）に示すように、回転側部材６の斜め切起し６ａが摺動駒１０の上面１０ｅに乗り上げた状態で左方向（Ｍ方向）に摺動駒１０を引き摺り随伴して動く。アームレスト本体３が４５°の位置までくると摺動駒１０の左端側の端面１０ｃがガイド９の端面９ｈに突き当たる。
【００８２】
図２５は、図２４の状態からさらにアームレスト本体３を反時計回り方向に４５°以上引下げた（倒立した）状態を示す。アームレスト本体３を図２４における４５°位置よりさらに反時計回り方向（Ｍ方向）に回転して行くと、摺動駒１０がガイド９の端面９ｈに突き当たった状態で動かないため、斜め切起し６ａは摺動駒１０の凸部１０ａを乗り越え、ガイド９の中間段差部９ｅ上に乗り上げ、回転側部材６と固定側部材７のロック歯６ｇ、７ｇが完全に離反したロック解除状態のままアームレスト本体３は反時計回り方向に回転し続ける。このロック解除状態では、アームレスト本体３を収納位置まで引下げる（倒立させる）ことも、逆に略水平位置（使用位置）まで戻す（引上げる）ことも自由に行うことができる。
【００８３】
なお、アームレスト本体３を図２５における左方向（反時計回り方向）又は図２３における右方向（時計回り方向）に回転すると、回転側部材６の斜め切起し６ａがガイド９のストッパーとなる最高段差部９ｆに突き当たるため、回転停止する。
【００８４】
この実施形態においても、第２実施形態と同様に斜め切起し６ｂ及び摺動駒１１を設けても良く、これらの斜め切起し６ｂ及び摺動駒１１は、斜め切起し６ａ及び摺動駒１０と全く同じ作動を行う。
【００８５】
（第４実施形態）
この実施形態では、第１実施形態〜第３実施形態に対し、摺動駒１０あるいは摺動駒１１及びガイド９の一部の構造を変更した点を除き、他の構成は全く同様である。すなわち、第１実施形態に対しては、摺動駒１０の凸部１０ａをなくして上面１０ｅを平坦にし、摺動駒１０とガイド９の間にコイルばねなどのサブ付勢部材１５を挿入するとともに、摺動駒１０の上面１０ｅはガイド９の中間段差部９ｅより僅かに低くしたものであり、これらの変更点を除き、他の構成は第１実施形態と全く同様である。
【００８６】
図２６〜図２８は、この実施形態の作動を示し、各図において、（ａ）は作動の展開図、（ｂ）はアームレスト装置の模式図である。図２１（ａ）はこの実施形態のアームレスト本体３を略水平の使用位置まで引下げた使用状態（図１相当）を示す。この実施形態では、サブ付勢部材１５としての圧縮コイルばねの一端部が摺動駒１０の右端面１０ｂに固定され、他端部がガイド９の端面９ｇ側に設けられた溝９ｉ内に固定又はフリー状態で収容されている。これに対し、図示しないが、サブ付勢部材１５として引張りばねの一端部が摺動駒１０の左端面１０ｃに固定し、他端部がガイド９の壁９ｈ側に設けられた溝内に固定されるようにしても良い。いずれの場合も付勢部材１５は、常に摺動駒１０をガイド９の壁９ｈに押し付ける方向に付勢された状態で取付けられている。
【００８７】
図２６の状態では、回転側部材６、７のロック歯６ｇ、７ｇは相互に噛合した状態（図３相当）であり、回転側部材６の斜め切起し６ａはガイド９の最低段差部９ｄより僅かに浮き上がった位置にある。
【００８８】
図２７は図２６の状態からアームレストを時計回り方向に４５°近辺まで引上げた（起立した）状態を示す。アームレスト本体３を時計回り方向に回転すると、固定側部材７のロック歯７ｇが回転側部材６のロック歯６ｇを乗り越えることにより、固定側部材７は弾性部材８の付勢力に抗して離反方向に押され、回転側部材６はＬ方向に回転する。この際、斜め切起し６ａは摺動駒１０の上面１０ｅに乗り上げる量までは動かずに、サブ付勢部材１５の付勢力に抗して摺動駒１０を随伴して右方向（Ｌ方向すなわち時計回り方向）に回転する。そして、アームレスト本体３の所定角度例えば４５°の位置で摺動駒１０の右端面１０ｂがガイド９の端面９ｇに突き当たる。
【００８９】
さらに、アームレスト本体３を所定角度例えば４５°位置から時計回り方向に回転すると、摺動駒１０がガイド９の端面９ｇに突き当たった状態で動かないため、斜め切起し６ａは摺動駒１０の上面１０ｅを乗り越え、上面１０ｅより若干高めのガイド９の中間段差部９ｅ上に乗り上がる。このとき、回転側部材６と固定側部材７のロック歯６ｇ、７ｇは完全に離反し、アームレスト本体３はロック解除され回転フリーの状態となる。
【００９０】
この実施形態においても、図２６の略水平のアームレスト本体３使用状態から所定角度までの回転範囲は、第１実施形態と同様なラチェット回転による角度調整可能範囲となっている。
【００９１】
図２８は図２７の作動時において、摺動駒１０がサブ付勢部材１５により図２６の初期位置に押し戻されたリセット状態を示す。図２７の作動時において、斜め切起し６ａが摺動駒１０の上面１０ｅを乗り越え、上面１０ｅより若干高めのガイド９の中間段差部９ｅ上に乗り上がると同時に、摺動駒１０は斜め切起し６ａから離れてフリー状態となるので、サブ付勢部材１５の付勢力によりガイド９の反対側の端面９ｇに当接するまで押し戻される。
【００９２】
図２８の状態では、ガイド９の壁９ｇに当接している摺動駒１０とガイド９の中間段差部９ｅとが案内溝９ｂに沿って連続的に近接している。このため、斜め切起し６ａが摺動駒１０の上面１０ｅ及びガイド９の中間段差部９ｅ上のいずれにも乗って連続的に摺動するため、図２８の位置からアームレスト本体３をロック解除状態のまま収納位置まで回転する（起立させる）ことも、反対に略水平位置まで戻す（引下げる）ことも、あるいは、アームレスト本体３を収納位置から略水平位置までロック解除状態のまま戻す（引下げる）ことも自由に可能となっている。
【００９３】
本発明は、図１〜図２８に示した実施形態に限定されることなく、種々変更が可能である。例えば、アームレスト本体３の全体回転角度及び使用位置近傍の角度調整範囲や係合突起（斜め切起し６ａ、６ｂ）、案内溝９ｂ、９ｃあるいは摺動駒１０、１１等の配置、数量及び形状あるいはその他も含む部材の材質等を任意に変更することができる。また、ガイド９や摺動駒１０、１１あるいは回転側部材６及び固定側部材７等の摺動部分を有する部材としては、一方又は両方を潤滑性金属又は非金属部材とすることが望ましい。
【００９４】
また、加工又はプレス成形による薄板状の回転側部材６及び固定側部材７と案内溝及び段差部が形成されたガイド９とを別部材としたが、回転側部材６又は固定側部材７とガイド９とを一体とした部材とすることもできる。この場合、実施形態の方が回転側部材及び固定側部材を薄板状のプレス成形品とすることができることから、アームレスト装置全体が簡潔で軽量な構造となり、加工コストも削減することができる。
【００９５】
以上のように、本発明によれば、対向した部分の全周にわたってロック歯を設けた固定側部材及び回転側部材、同心円状の複数の案内溝及び段差部、案内溝内を摺動する摺動駒、摺動駒及び段差部上を係合又は摺動する係合突起などを有することにより、簡潔な構造で、略水平の使用位置から上向き起立又は下向き倒立のいずれもの格納位置まで回動でき、水平近傍での使用角度がロック歯における鋸歯毎の微調整可能などの使い勝手がよく、作動が静粛・円滑で、安全性及び耐久性に優れたア−ムレスト装置とすることができる。
【図面の簡単な説明】
【００９６】
【図１】本発明の第１実施形態におけるアームレスト本体がシートバックに沿って起立した収納位置から引下げられて略水平の使用状態における自動車用シートの側面図である。
【図２】本発明のアームレスト装置の一部破断側面図である。
【図３】図２の一部破断背面図である。
【図４】図２のＡ−Ａ線断面図である。
【図５】図４のＢ−Ｂ線断面図である。
【図６】図４のＣ−Ｃ線断面図である。
【図７】図４のＤ−Ｄ線断面図である。
【図８】図４のＥ−Ｅ線断面図である。
【図９】図７のＦ−Ｆ線における展開図である。
【図１０】図９のＧ矢視断面図である。
【図１１】（ａ）は図１の使用状態の図９に対応する作動を説明する展開図、（ｂ）は（ａ）の作動状態を示す図１に対応する模式図である。
【図１２】（ａ）は図１１の使用状態からアームレストを時計回り方向に引上げ（起立し）始めた状態の作動を説明する展開図、（ｂ）は（ａ）の作動状態を示す模式図である。
【図１３】（ａ）は図１２の状態からアームレストを時計回り方向に４５°近辺まで引上げた（起立した）状態の作動を説明する展開図、（ｂ）は（ａ）の作動状態を示す模式図である。
【図１４】（ａ）は図１３の状態からアームレストを時計回り方向に４５°以上引上げた（起立した）ロック解除状態の作動を説明する展開図、（ｂ）は（ａ）の作動状態を示す模式図である。
【図１５】（ａ）は図１４のロック解除状態からアームレストを再び反時計回り方向に引下げ始めた状態の作動を説明する展開図、（ｂ）は（ａ）の作動状態を示す模式図である。
【図１６】本発明の第２実施形態のアームレスト装置におけるのロック機構の断面図であり、図４のＣ−Ｃ線断面に相当する。
【図１７】第２実施形態のアームレスト装置におけるロック機構の断面図であり、図４のＤ−Ｄ線断面に相当する。
【図１８】図１７のＨ矢視断面図である。
【図１９】図１７のＩ矢視断面図である。
【図２０】本発明を便器に適用した第３実施形態を示す側面図である。
【図２１】（ａ）は図２０の収納位置からアームレストを時計回り方向に４５°過ぎまで引上げた状態の図９に対応すると同様な作動を説明する展開図、（ｂ）は（ａ）の作動状態を示す図２０に対応する模式図である
【図２２】（ａ）は図２１の状態からさらにアームレストを時計回り方向に４５°以上引上げた状態の作動を説明する展開図、（ｂ）は（ａ）の作動状態を示す模式図である。
【図２３】（ａ）は図２０の使用状態から再び反時計回り方向に引上げ（引下げ）始めるに当たりアームレストを一旦上方に引上げロック解除した状態の作動を説明する展開図、（ｂ）は（ａ）の作動状態を示す模式図である。
【図２４】（ａ）は図２３のロック解除状態からアームレストを反時計回り方向に４５°まで引下げた状態の作動を説明する展開図、（ｂ）は（ａ）の作動状態を示す模式図である。
【図２５】（ａ）は図２４の状態からさらにアームレストを反時計回り方向に４５°以上引下げた（倒立した）状態の作動を説明する展開図、（ｂ）は（ａ）の作動状態を示す模式図である。
【図２６】（ａ）は本発明の第４実施形態のアームレストの使用状態（図１相当の回転側部材及び固定側部材が噛合するロック状態）の作動を説明する展開図（図９相当に対応）、（ｂ）は（ａ）の作動状態を示す模式図である。
【図２７】（ａ）は図２６の状態からアームレストを時計回り方向に４５°近辺まで引上げた（起立した）状態の作動を説明する展開図、（ｂ）は（ａ）の作動状態を示す模式図である。
【図２８】（ａ）は図２７の作動時において、摺動駒が圧縮ばねにより図２６の初期位置に押し戻された状態の作動を説明する展開図、（ｂ）は（ａ）の作動状態を示す模式図である。
【符号の説明】
【００９７】
１      ア−ムレスト装置
２      シートバック
２ａ    シートの側板
３      アームレスト本体
３ａ    インサイドアーム
３ｂ    アウトサイドアーム
３ｃ、９ａ、１０ａ  凸部
４      ロック機構
５      支持軸
６      回転側部材
６ａ、６ｂ  係合突起（斜め切起し）
６ｇ、７ｇ  ロック歯
６ｈ、７ｈ  垂直面
６ｉ、７ｉ  斜面
７      固定側部材
８      弾性部材
９      ガイド
９ｂ、９ｃ  案内溝
９ｄ    最低段差部
９ｅ    中間段差部
９ｆ    最高段差部
１０、１１  摺動駒
１５    サブ付勢部材
【図１】
2007283908.tif 000003
【図２】
2007283908.tif 000004
【図３】
2007283908.tif 000005
【図４】
2007283908.tif 000006
【図５】
2007283908.tif 000007
【図６】
2007283908.tif 000008
【図７】
2007283908.tif 000009
【図８】
2007283908.tif 000010
【図９】
2007283908.tif 000011
【図１０】
2007283908.tif 000012
【図１１】
2007283908.tif 000013
【図１２】
2007283908.tif 000014
【図１３】
2007283908.tif 000015
【図１４】
2007283908.tif 000016
【図１５】
2007283908.tif 000017
【図１６】
2007283908.tif 000018
【図１７】
2007283908.tif 000019
【図１８】
2007283908.tif 000020
【図１９】
2007283908.tif 000021
【図２０】
2007283908.tif 000022
【図２１】
2007283908.tif 000023
【図２２】
2007283908.tif 000024
【図２３】
2007283908.tif 000025
【図２４】
2007283908.tif 000026
【図２５】
2007283908.tif 000027
【図２６】
2007283908.tif 000028
【図２７】
2007283908.tif 000029
【図２８】
2007283908.tif 000030